(57)【要約】  １つの例示的な態様では、信号を送信する方法が提供され、本方法は、第１のアンテナのみから１つまたは複数の第１のサブキャリアを使用して信号を送信することであって、第１のアンテナから送信される信号が、データに基づく第１の信号を備える、信号を送信することと、第２のアンテナのみから、１つまたは複数の第１のサブキャリアとは異なる１つまたは複数の第２のサブキャリアを使用して信号を送信することであって、第２のアンテナから送信される信号が、データに基づく第２の信号を備える、信号を送信することとを含む。【選択図】図２
2021534634.tif 000002
【特許請求の範囲】
【請求項１】
信号を送信する方法であって、
第１のアンテナのみから１つまたは複数の第１のサブキャリアを使用して信号を送信することであって、前記第１のアンテナから送信される前記信号が、データに基づく第１の信号を含む、信号を送信することと、
第２のアンテナのみから、前記１つまたは複数の第１のサブキャリアとは異なる１つまたは複数の第２のサブキャリアを使用して信号を送信することであって、前記第２のアンテナから送信される前記信号が、前記データに基づく第２の信号を含む、信号を送信することと
を含む方法。
【請求項２】
前記第１のアンテナからの前記１つまたは複数の第２のサブキャリアを使用して信号を送信することを控えることを含む、請求項１に記載の方法。
【請求項３】
前記第２のアンテナからの前記１つまたは複数の第１のサブキャリアを使用して信号を送信することを控えることを含む、請求項１または２に記載の方法。
【請求項４】
前記データが１つまたは複数のデータ部分を備え、前記第１および第２のアンテナからの前記信号を送信することが、各データ部分について、前記第１のアンテナからの前記１つまたは複数の第１のサブキャリアの各々を使用して少なくとも１つの第１のシンボルを送信することと、前記第２のアンテナからの前記１つまたは複数の第２のサブキャリアの各々を使用して少なくとも１つの第２のシンボルを送信することとを含む、請求項１から３のいずれか一項に記載の方法。
【請求項５】
各データ部分について、前記１つまたは複数の第１のサブキャリアの前記各々と前記１つまたは複数の第２のサブキャリアの前記各々とが隣接しない、請求項４に記載の方法。
【請求項６】
１つまたは複数のさらなるアンテナからの信号を送信することを含み、各さらなるアンテナについて、前記さらなるアンテナからの信号を送信することが、前記さらなるアンテナのみからそれぞれの１つまたは複数のさらなるサブキャリアを使用して信号を送信することを含み、前記さらなるアンテナから送信される前記信号が、前記データに基づく第２の信号を含み、前記それぞれの１つまたは複数のさらなるサブキャリアが前記１つまたは複数の第１のサブキャリアおよび前記１つまたは複数の第２のサブキャリアとは異なる、請求項１から５のいずれか一項に記載の方法。
【請求項７】
前記データを符号化することと、
第１の変調方式に従って、前記符号化されたデータの部分を第１のシンボルにマッピングすることと、
前記第１の信号を形成するために前記第１のシンボルに対して逆離散フーリエ変換を実行することと、
第２の変調方式に従って、前記符号化されたデータの部分を第２のシンボルにマッピングすることと、
前記第２の信号を形成するために前記第２のシンボルに対して逆離散フーリエ変換を実行することと
を含む、請求項１から６のいずれか一項に記載の方法。
【請求項８】
前記データまたは前記シンボルをインターリーブすることをさらに含む、請求項７に記載の方法。
【請求項９】
第１の符号化されたデータを形成するために、第１の符号化方式に従って前記データの部分を符号化することによって前記第１の信号を形成することと、第１の変調方式に従って、前記第１の符号化されたデータを第１のシンボルにマッピングすることと、前記第１の信号を形成するために前記第１のシンボルに対して逆離散フーリエ変換および複合波形による乗算を実行することとを含み、
第２の符号化されたデータを形成するために、第２の符号化方式に従って、前記データの部分を符号化することによって前記第２の信号を形成することと、第２の変調方式に従って、前記第２の符号化されたデータを第２のシンボルにマッピングすることと、前記第１の信号を形成するために前記第２のシンボルに対して逆離散フーリエ変換および複合波形による乗算を実行することとを含む、請求項１から６のいずれか一項に記載の方法。
【請求項１０】
前記第１の符号化方式が前記第２の符号化方式とは異なる、請求項９に記載の方法。
【請求項１１】
前記第１の変調方式が前記第２の変調方式とは異なる、請求項７から１０のいずれか一項に記載の方法。
【請求項１２】
前記データがトレーニングフィールドとデータフィールドとを備える、請求項１から１１のいずれか一項に記載の方法。
【請求項１３】
前記１つまたは複数の第１のサブキャリアが複数の直交サブキャリアの第１のサブセットを備え、前記１つまたは複数の第２のサブキャリアが前記複数の直交サブキャリアの第２のサブセットを備える、請求項１から１２のいずれか一項に記載の方法。
【請求項１４】
信号を受信する方法であって、
第１の受信アンテナにおいて、第１の送信アンテナのみから１つまたは複数の第１のサブキャリアを使用して送信される信号を受信することであって、前記第１の送信アンテナから送信される前記信号が、データに基づく第１の信号を含む、信号を受信すること、
前記第１の受信アンテナにおいて、第２の送信アンテナのみから、前記１つまたは複数の第１のサブキャリアとは異なる１つまたは複数の第２のサブキャリアを使用して送信される信号を受信することであって、前記第２の送信アンテナから送信される前記信号が、前記データに基づく第２の信号を含む、信号を受信することと
を含む方法。
【請求項１５】
前記１つまたは複数の第２のサブキャリア上で前記第１の送信アンテナから送信される信号を受信しないことを含む、請求項１４に記載の方法。
【請求項１６】
前記１つまたは複数の第１のサブキャリア上で前記第２の送信アンテナから送信される信号を受信しないことを含む、請求項１４または１５に記載の方法。
【請求項１７】
前記データが１つまたは複数のデータ部分を備え、前記第１の送信アンテナおよび前記第２の送信アンテナから送信される前記信号を受信することが、各データ部分について、前記第１の送信アンテナから送信される前記１つまたは複数の第１のサブキャリアの各々を使用して少なくとも１つの第１のシンボルを受信することと、前記第２の送信アンテナから前記１つまたは複数の第２のサブキャリアの各々を使用して送信される少なくとも１つの第２のシンボルを受信することとを含む、請求項１４から１６のいずれか一項に記載の方法。
【請求項１８】
各データ部分について、前記１つまたは複数の第１のサブキャリアの前記各々と前記１つまたは複数の第２のサブキャリアの前記各々とが隣接しない、請求項１７に記載の方法。
【請求項１９】
１つまたは複数のさらなる送信アンテナから送信される信号を受信することを含み、各さらなる送信アンテナについて、前記さらなる送信アンテナから送信される信号を受信することが、前記さらなる送信アンテナのみからそれぞれの１つまたは複数のさらなるサブキャリアを使用して送信される信号を受信することを含み、前記さらなる送信アンテナから送信される前記信号が、前記データに基づく第２の信号を含み、前記それぞれの１つまたは複数のさらなるサブキャリアが前記１つまたは複数の第１のサブキャリアおよび前記１つまたは複数の第２のサブキャリアとは異なる、請求項１４から１８のいずれか一項に記載の方法。
【請求項２０】
前記第１の信号が、第１の符号化方式を使用して符号化され、前記第２の信号が、前記第１の符号化方式とは異なる第２の符号化方式を使用して符号化される、請求項１９に記載の方法。
【請求項２１】
前記第１の信号が、第１の変調方式を使用して変調され、前記第２の信号が、前記第１の変調方式とは異なる第２の変調方式を使用して符号化される、請求項１４から２０のいずれか一項に記載の方法。
【請求項２２】
前記データがトレーニングフィールドとデータフィールドとを備える、請求項１４から２１のいずれか一項に記載の方法。
【請求項２３】
前記１つまたは複数の第１のサブキャリアが複数の直交サブキャリアの第１のサブセットを備え、前記１つまたは複数の第２のサブキャリアが前記複数の直交サブキャリアの第２のサブセットを備える、請求項１４から２２のいずれか一項に記載の方法。
【請求項２４】
前記第１の受信アンテナにおいて受信された前記第１の信号を第１の単入力単出力（ＳＩＳＯ）システムとして処理することと、
前記第１の受信アンテナにおいて受信された前記第２の信号を第２の単入力単出力（ＳＩＳＯ）システムとして処理することと
を含む、請求項１４から２３のいずれか一項に記載の方法。
【請求項２５】
第２のアンテナにおいても前記第１の信号および前記第２の信号を受信することを含む、請求項１４から２４のいずれか一項に記載の方法。
【請求項２６】
前記第１の受信アンテナにおいて受信された前記第１の信号および第２の受信アンテナにおいて受信された前記第１の信号を第１の単入力多出力（ＳＩＭＯ）システムとして処理することと、
前記第１の受信アンテナにおいて受信された前記第２の信号および前記第２の受信アンテナにおいて受信された前記第２の信号を第２の単入力多出力（ＳＩＭＯ）システムとして処理することと
を含む、請求項２５に記載の方法。
【請求項２７】
少なくとも１つのプロセッサ上で実行されたとき、前記少なくとも１つのプロセッサに請求項１から２６のいずれか一項に記載の方法を実行させる命令を備えるコンピュータプログラム。
【請求項２８】
前記キャリアが、電子信号、光信号、無線信号またはコンピュータ可読記憶媒体のうちの１つを備える、請求項２７に記載のコンピュータプログラムを含んでいるキャリア。
【請求項２９】
請求項２７に記載のコンピュータプログラムを記憶した非一時的コンピュータ可読媒体を備えるコンピュータプログラム製品。
【請求項３０】
信号を送信するための装置であって、プロセッサとメモリとを備え、前記メモリは、前記装置が、
第１のアンテナのみから１つまたは複数の第１のサブキャリアを使用して信号を送信することであって、前記第１のアンテナから送信される前記信号が、データに基づく第１の信号を含む、信号を送信することと、
第２のアンテナのみから、前記１つまたは複数の第１のサブキャリアとは異なる１つまたは複数の第２のサブキャリアを使用して信号を送信することであって、前記第２のアンテナから送信される前記信号が、前記データに基づく第２の信号を含む、信号を送信することと
を行うように動作可能であるように、前記プロセッサによって実行可能な命令を含んでいる、装置。
【請求項３１】
前記メモリは、前記装置が、請求項２から１３のいずれか一項に記載の方法を実行するように動作可能であるように、前記プロセッサによって実行可能な命令を含んでいる、請求項３０に記載の装置。
【請求項３２】
信号を受信するための装置であって、プロセッサとメモリとを備え、前記メモリは、前記装置が、
第１の受信アンテナにおいて、第１の送信アンテナのみから１つまたは複数の第１のサブキャリアを使用して送信される信号を受信することであって、前記第１の送信アンテナから送信される前記信号が、データに基づく第１の信号を含む、信号を受信することと、
前記第１の受信アンテナにおいて、第２の送信アンテナのみから、前記１つまたは複数の第１のサブキャリアとは異なる１つまたは複数の第２のサブキャリアを使用して送信される信号を受信することであって、前記第２の送信アンテナから送信される前記信号が、前記データに基づく第２の信号を含む、信号を受信することと
を行うように動作可能であるように、前記プロセッサによって実行可能な命令を含んでいる、装置。
【請求項３３】
前記メモリは、前記装置が、請求項１５から２６のいずれか一項に記載の方法を実行するように動作可能であるように、前記プロセッサによって実行可能な命令を含んでいる、請求項３２に記載の装置。
【請求項３４】
信号を送信するための装置であって、
第１のアンテナのみから１つまたは複数の第１のサブキャリアを使用して信号を送信することであって、前記第１のアンテナから送信される前記信号が、データに基づく第１の信号を含む、信号を送信することと、
第２のアンテナのみから、前記１つまたは複数の第１のサブキャリアとは異なる１つまたは複数の第２のサブキャリアを使用して信号を送信することであって、前記第２のアンテナから送信される前記信号が、前記データに基づく第２の信号を含む、信号を送信することと
を行うように設定された、信号を送信するための装置。
【請求項３５】
信号を受信するための装置であって、
第１の受信アンテナにおいて、第１の送信アンテナのみから１つまたは複数の第１のサブキャリアを使用して送信される信号を受信することであって、前記第１の送信アンテナから送信される前記信号が、データに基づく第１の信号を含む、信号を受信することと、
前記第１の受信アンテナにおいて、第２の送信アンテナのみから、前記１つまたは複数の第１のサブキャリアとは異なる１つまたは複数の第２のサブキャリアを使用して送信される信号を受信することであって、前記第２の送信アンテナから送信される前記信号が、前記データに基づく第２の信号を含む、信号を受信すること
を行うように設定された、信号を受信するための装置。
【請求項３６】
信号を送信するための装置であって、
第１のアンテナのみから１つまたは複数の第１のサブキャリアを使用して信号を送信するように設定された第１の送信モジュールであって、前記第１のアンテナから送信される前記信号が、データに基づく第１の信号を含む、第１の送信モジュールと、
第２のアンテナのみから、前記１つまたは複数の第１のサブキャリアとは異なる１つまたは複数の第２のサブキャリアを使用して信号を送信するように設定された第２の送信モジュールであって、前記第２のアンテナから送信される前記信号が、前記データに基づく第２の信号を含む、第２の送信モジュールと
を備える、信号を送信するための装置。
【請求項３７】
信号を受信するための装置であって、
第１の受信アンテナにおいて、第１の送信アンテナのみから１つまたは複数の第１のサブキャリアを使用して送信される信号を受信するように設定された第１の受信モジュールであって、前記第１の送信アンテナから送信される前記信号が、データに基づく第１の信号を含む、第１の受信モジュールと、
前記第１の受信アンテナにおいて、第２の送信アンテナのみから、前記１つまたは複数の第１のサブキャリアとは異なる１つまたは複数の第２のサブキャリアを使用して送信される信号を受信するように設定された第２の受信モジュールであって、前記第２の送信アンテナから送信される前記信号が、前記データに基づく第２の信号を含む、第２の受信モジュールと
を備える、信号を受信するための装置。
【発明の詳細な説明】
【技術分野】
【０００１】
本開示の例は、たとえばマルチアンテナシステムにおいて、信号を送信および受信することに関する。
【背景技術】
【０００２】
ワイヤレス通信のいくつかの適用例は、低いレイテンシおよび／または高い信頼性を必要とし得る。たとえば、超高信頼性低レイテンシ通信（ＵＲＬＬＣ）のいくつかの適用例は、小さいパケットサイズ、低いレイテンシおよび高い信頼性（たとえば、低いパケットエラーレート（ＰＥＲ））のうちの１つまたは複数を必要とし得る。ダイバーシティ技法は、高い信頼性を達成する際に役立ち得る。
【０００３】
マルチアンテナワイヤレスシステム（たとえば多入力多出力（ＭＩＭＯ））では、多重化利得またはダイバーシティ利得のいずれかを高めるために、空間自由度が採用され得るが、２つの利得の間に基本的トレードオフがあり、２つの利得の両方を同時に最適化することが可能でないことがある。
【発明の概要】
【０００４】
本開示の一態様は、信号を送信する方法を提供する。本方法は、第１のアンテナのみから１つまたは複数の第１のサブキャリアを使用して信号を送信することであって、第１のアンテナから送信される信号が、データに基づく第１の信号を備える、信号を送信することを含む。本方法はまた、第２のアンテナのみから、１つまたは複数の第１のサブキャリアとは異なる１つまたは複数の第２のサブキャリアを使用して信号を送信することであって、第２のアンテナから送信される信号が、データに基づく第２の信号を備える、信号を送信することとを含む。
【０００５】
本開示の別の態様は、信号を受信する方法を提供する。本方法は、第１の受信アンテナにおいて、第１の送信アンテナのみから１つまたは複数の第１のサブキャリアを使用して送信される信号を受信することであって、第１の送信アンテナから送信される信号が、データに基づく第１の信号を備える、送信される信号を受信することを含む。本方法はまた、第１の受信アンテナにおいて、第２の送信アンテナのみから、１つまたは複数の第１のサブキャリアとは異なる１つまたは複数の第２のサブキャリアを使用して送信される信号を受信することであって、第２の送信アンテナから送信される信号が、データに基づく第２の信号を備える、送信される信号を受信することとを含む。
【０００６】
本開示のさらなる態様は、信号を送信するための装置を提供する。本装置はプロセッサとメモリとを備える。メモリは、本装置が、第１のアンテナのみから１つまたは複数の第１のサブキャリアを使用して信号を送信することであって、第１のアンテナから送信される信号が、データに基づく第１の信号を備える、信号を送信することと、第２のアンテナのみから、１つまたは複数の第１のサブキャリアとは異なる１つまたは複数の第２のサブキャリアを使用して信号を送信することであって、第２のアンテナから送信される信号が、データに基づく第２の信号を備える、信号を送信することとを行うように動作可能であるように、プロセッサによって実行可能な命令を含んでいる。
【０００７】
本開示のまたさらなる態様は、信号を受信するための装置を提供する。本装置はプロセッサとメモリとを備える。メモリは、本装置が、第１の受信アンテナにおいて、第１の送信アンテナのみから１つまたは複数の第１のサブキャリアを使用して送信される信号を受信することであって、第１の送信アンテナから送信される信号が、データに基づく第１の信号を備える、信号を受信することと、第１の受信アンテナにおいて、第２の送信アンテナのみから、１つまたは複数の第１のサブキャリアとは異なる１つまたは複数の第２のサブキャリアを使用して送信される信号を受信することであって、第２の送信アンテナから送信される信号が、データに基づく第２の信号を備える、信号を受信することとを行うように動作可能であるように、プロセッサによって実行可能な命令を含んでいる。
【０００８】
本開示の追加の態様は、信号を送信するための装置を提供する。本装置は、第１のアンテナのみから１つまたは複数の第１のサブキャリアを使用して信号を送信することであって、第１のアンテナから送信される信号が、データに基づく第１の信号を備える、信号を送信することと、第２のアンテナのみから、１つまたは複数の第１のサブキャリアとは異なる１つまたは複数の第２のサブキャリアを使用して信号を送信することであって、第２のアンテナから送信される信号が、データに基づく第２の信号を備える、信号を送信することとを行うように設定される。
【０００９】
本開示の別の態様は、信号を受信するための装置を提供する。本装置は、第１の受信アンテナにおいて、第１の送信アンテナのみから１つまたは複数の第１のサブキャリアを使用して送信される信号を受信することであって、第１の送信アンテナから送信される信号が、データに基づく第１の信号を備える、信号を受信することと、第１の受信アンテナにおいて、第２の送信アンテナのみから、１つまたは複数の第１のサブキャリアとは異なる１つまたは複数の第２のサブキャリアを使用して送信される信号を受信することであって、第２の送信アンテナから送信される信号が、データに基づく第２の信号を備える、信号を受信することとを行うように設定される。
【００１０】
本開示のさらなる態様は、信号を送信するための装置を提供する。本装置は、第１のアンテナのみから１つまたは複数の第１のサブキャリアを使用して信号を送信するように設定された第１の送信モジュールであって、第１のアンテナから送信される信号が、データに基づく第１の信号を備える、第１の送信モジュールを備える。本装置はまた、第２のアンテナのみから１つまたは複数の第１のサブキャリアとは異なる１つまたは複数の第２のサブキャリアを使用して信号を送信するように設定された第２の送信モジュールであって、第２のアンテナから送信される信号が、データに基づく第２の信号を備える、第２の送信モジュールを備える。
【００１１】
本開示のまたさらなる態様は、信号を受信するための装置を提供する。本装置は、第１の受信アンテナにおいて、第１の送信アンテナのみから１つまたは複数の第１のサブキャリアを使用して送信される信号を受信するように設定された第１の受信モジュールであって、第１の送信アンテナから送信される信号が、データに基づく第１の信号を備える、第１の受信モジュールを備える。本装置はまた、第２の送信アンテナのみから、１つまたは複数の第１のサブキャリアとは異なる１つまたは複数の第２のサブキャリアを使用して送信される信号を第１の受信アンテナにおいて受信するように設定された第２の受信モジュールであって、第２の送信アンテナから送信される信号が、データに基づく第２の信号を備える、第２の受信モジュールを備える。
【００１２】
本開示の例のより良い理解のために、また、例がどのように実行に移され得るかをより明らかに示すために、次に、単に例として、以下の図面を参照する。
【図面の簡単な説明】
【００１３】
【図１】信号を送信する方法の例のフローチャートである。
【図２】送信システムから同時に送信される信号の例を示す図である。
【図３】信号を受信する方法の例を示す図である。
【図４】送信機の例を示す図である。
【図５】送信機の例を示す図である。
【図６】信号を送信するための装置の例を示す図である。
【図７】信号を受信するための装置の例を示す図である。
【図８】信号を送信するための装置の例を示す図である。
【図９】信号を受信するための装置の例を示す図である。
【発明を実施するための形態】
【００１４】
以下では、限定ではなく説明の目的のための特定の実施形態または例など、具体的な詳細を記載する。他の例がこれらの具体的な詳細から離れて採用され得ることが、当業者によって諒解されよう。いくつかの事例では、不要な詳細で説明を不明瞭にしないように、よく知られている方法、ノード、インターフェース、回路、およびデバイスについての詳細な説明が省略される。説明された機能は、ハードウェア回路（たとえば、専用機能、ＡＳＩＣ、ＰＬＡなどを実行するために相互接続されたアナログおよび／または個別論理ゲート）を使用して、および／または１つまたは複数のデジタルマイクロプロセッサまたは汎用コンピュータとともにソフトウェアプログラムおよびデータを使用して、１つまたは複数のノード中に実装され得ることを、当業者は諒解しよう。エアインターフェースを使用して通信するノードは、好適な無線通信回路をも有する。その上、適切な場合、本技術は、さらに、プロセッサに本明細書で説明する技法を実行させるであろうコンピュータ命令の適切なセットを含んでいる、固体メモリ、磁気ディスク、または光ディスクなど、任意の形態のコンピュータ可読メモリ内で完全に実施されると考えられ得る。
【００１５】
ハードウェア実装は、デジタル信号プロセッサ（ＤＳＰ）ハードウェア、縮小命令セットプロセッサ、限定はしないが、特定用途向け集積回路（ＡＳＩＣ）および／またはフィールドプログラマブルゲートアレイ（ＦＰＧＡ）を含むハードウェア（たとえば、デジタルまたはアナログ）回路、ならびに（適切な場合）そのような機能を実行することが可能な状態機械を、限定はしないが、含むか、または包含し得る。
【００１６】
本開示の例は、それにより、複数のアンテナからの複数のキャリアを使用してデータが送られる通信システムを与える。しかしながら、特定のサブキャリアは１つのアンテナのみから送られる。したがって、いくつかの例では、異なるアンテナから送信される信号は、直交すると考えられ得、直交サブキャリアが使用される。場合によっては、通信システムは、ＭＩＭＯシステムと比較してオーバーヘッドおよび／または処理複雑さを低減し得る、複数の単入力単出力（ＳＩＳＯ）または単入力多出力（ＳＩＭＯ）システムであると考えられ得る。さらに、いくつかの例では、すべてのサブキャリアが単一のアンテナから送信されるとは限らないので、単一のアンテナから送信される信号は、単一のアンテナからのすべての利用可能なサブキャリアを使用して送信される全電力を増加させることなしに、電力が増加し得る。
【００１７】
図１は、信号を送信する方法１００の例のフローチャートである。方法１００は、ステップ１０２において、第１のアンテナのみから１つまたは複数の第１のサブキャリアを使用して信号を送信することを含み、第１のアンテナから送信される信号は、データに基づく第１の信号を備える。本方法のステップ１０４は、第２のアンテナのみから、１つまたは複数の第１のサブキャリアとは異なる１つまたは複数の第２のサブキャリアを使用して信号を送信することを含み、第２のアンテナから送信される信号は、データに基づく第２の信号を備える。第２のアンテナから送信される信号は、たとえば、第１のアンテナから送信される信号と同時に送信され得る。
【００１８】
したがって、たとえば、送信機または送信システムが複数のアンテナを含む場合、信号は、それらのアンテナのうちの１つのみから送信され、他のアンテナのいずれからも送信されない（たとえば、方法１００は、第１のアンテナから１つまたは複数の第２のサブキャリアを使用して信号を送信することを控えること、および／または第２のアンテナから１つまたは複数の第１のサブキャリアを使用して信号を送信することを控えることを含む）。特定のアンテナから送信される信号は、いくつかの例では、他のアンテナのいずれからも送信されない複数のサブキャリアを備え得る。
【００１９】
各アンテナからの信号はデータに基づく。すなわち、たとえば、各アンテナから送信される信号を形成するために、同じデータが使用され得る。しかしながら、いくつかの例では、異なる変調方式、コーディング方式、インターリービング方式、スクランブリング方式、暗号化方式および／または任意の他のデータ操作方式が異なるアンテナのために使用され得るが、他の例では、同じ方式のうちの１つまたは複数がアンテナにまたがって使用され得る。
【００２０】
図２は、４つのアンテナを含む送信システムから同時に送信される信号の例を示す。信号２０２は第１のアンテナＴＸ１から送信される。信号２０４は第２のアンテナＴＸ２から送信される。信号２０６は第３のアンテナＴＸ３から送信される。信号２０８は第４のアンテナＴＸ４から送信される。各ブロックは特定のサブキャリアを表し、ブロックは、垂直方向に設定された同じサブキャリアを表す。影付きブロックは、そのアンテナからのそのサブキャリアから送信される信号がないことを示す。各アンテナから送信される信号は、１つまたは複数のビットｄ０、ｄ１、ｄ２およびｄ３のグループを備えるデータに基づく。図２では、これらのうちの１つを含んでいるブロックは、１つまたは複数のビットのそのグループに基づく信号がそのアンテナからのそのサブキャリアから送信されることを示す。
【００２１】
たとえば、アンテナＴＸ１のみから第１のサブキャリアから、ビットｄ０に基づく信号が送信される。第１のサブキャリアに隣接する、次のサブキャリア上の信号は、ビットｄ１に基づいてＴＸ２のみから送信される。次のサブキャリア上の信号は、ビットｄ２に基づいてＴＸ３のみから送信される。次のサブキャリア上の信号は、ビットｄ３に基づいてＴＸ４のみから送信される。次のサブキャリア上の信号は、ビットｄ１に基づいてＴＸ１のみから送信され、以下同様である。示されている例では、異なるアンテナからの同じデータに基づく信号を送信することは空間ダイバーシティを与え得るが、（異なるアンテナ上で送信される）異なるサブキャリアからのビットの同じグループに基づく信号を送信することは周波数および／または空間ダイバーシティを与え得る。示されている例では、隣接するサブキャリア上の信号は、１つまたは複数のビットの同じグループに基づかず、これは、さらなる周波数ダイバーシティを与え得る。示されている例では、各アンテナから、データに基づく信号は、１６個の利用可能なサブキャリアのうちの４つ上で送信されるが、そのアンテナからの残りの１２個のサブキャリア上で送信される信号はない。したがって、信号がアンテナからのすべてのサブキャリア上で送信される伝送システムと比較すると、各アンテナから送信される信号は、全送信電力を増加させることなしに、電力が４倍に増加し得る。
【００２２】
他の例では、２つまたはそれ以上の送信アンテナのうちのいくつかがあり得、任意の数のサブキャリアがあり得、各アンテナからの信号は、任意のサブキャリア上にあり、データの任意のビットに基づき得る。サブキャリアは、いくつかの例では、直交し得る。
【００２３】
いくつかの例では、データは１つまたは複数のデータ部分（たとえば１つまたは複数のグループの１つまたは複数のビット）を備え、第１および第２のアンテナからの信号を送信することは、各データ部分について、第１のアンテナからの１つまたは複数の第１のサブキャリアの各々を使用して少なくとも１つの第１のシンボルを送信することと、第２のアンテナからの１つまたは複数の第２のサブキャリアの各々を使用して少なくとも１つの第２のシンボルを送信することとを含む。したがって、たとえば、各データ部分は各送信アンテナからのそれぞれのサブキャリアにマッピングされ得る。いくつかの例では、各データ部分について、１つまたは複数の第１のサブキャリアの各々と１つまたは複数の第２のサブキャリアの各々とは隣接しない。隣接するサブキャリアに影響を及ぼす干渉は、同じデータ部分に基づく信号に影響を及ぼさないことがあるので、これは周波数ダイバーシティを与え得る。いくつかの例では、少なくとも１つの第１のシンボルと少なくとも１つの第２のシンボルとは同じであるが、他の例では、それらは（たとえば、異なるアンテナ間のシンボルへのデータ部分の異なるマッピングがある場合）異なり得る。
【００２４】
いくつかの例では、方法１００は、１つまたは複数のさらなるアンテナからの信号を送信することを含み、各さらなるアンテナについて、さらなるアンテナからの信号を送信することは、さらなるアンテナのみからそれぞれの１つまたは複数のさらなるサブキャリアを使用して信号を送信することを含み、さらなるアンテナから送信される信号は、データに基づく第２の信号を備え、それぞれの１つまたは複数のさらなるサブキャリアは１つまたは複数の第１のサブキャリアおよび１つまたは複数の第２のサブキャリアとは異なる。したがって、２つ、３つ、４つまたはより多い送信アンテナがあり得、各送信アンテナは、そのアンテナに固有のサブキャリアを使用して信号を送信する。
【００２５】
いくつかの例では、方法１００は、データを符号化することと、第１の変調方式に従って、符号化されたデータの部分を第１のシンボルにマッピングすることとを含む。方法１００はまた、第１の信号を形成するために第１のシンボルに対して逆離散フーリエ変換を実行することと、第２の変調方式に従って、符号化されたデータの部分を第２のシンボルにマッピングすることと、第２の信号を形成するために第２のシンボルに対して逆離散フーリエ変換を実行することとを含む。そのような例では、データに基づくアンテナの各々からの信号を送信するために同じ符号化方式が使用され得るが、変調方式は、アンテナ間で異なり得るか、または同じであり得る。いくつかの例では、本方法はデータまたはシンボルをインターリーブすることを含む。これは周波数および／または時間ダイバーシティを与え得る。
【００２６】
いくつかの例では、本方法は、第１の符号化されたデータを形成するために、第１の符号化方式に従ってデータの部分を符号化することによって第１の信号を形成することと、第１の変調方式に従って、第１の符号化されたデータを第１のシンボルにマッピングすることと、第１の信号を形成するために第１のシンボルに対して逆離散フーリエ変換および複合波形による乗算を実行することとを含む。方法１００はまた、第２の符号化されたデータを形成するために、第２の符号化方式に従ってデータの部分を符号化することによって第２の信号を形成することと、第２の変調方式に従って、第２の符号化されたデータを第２のシンボルにマッピングすることと、第１の信号を形成するために第２のシンボルに対して逆離散フーリエ変換および複合波形による乗算を実行することとを含む。したがって、異なるアンテナから送信される信号は、他のアンテナから送信される信号を形成するために使用される変調および符号化方式と同じであるかまたはそれらとは異なり得る、それぞれの変調および符号化方式を使用して形成され得る。
【００２７】
いくつかの例では、第１の変調方式は第２の変調方式と異なるが、他の例では、変調方式は同じであり得る。
【００２８】
いくつかの例では、データは、トレーニングフィールド（たとえば、ロングトレーニングフィールド（ＬＴＦ））とデータフィールドとを備える。トレーニングフィールドは、たとえば、特定の送信アンテナと受信機との間のチャネルの特性を測定するために受信機によって使用され得る。いくつかの例では、各サブキャリアは単一のアンテナのみから送信されるので、各サイクル中にただ１つのトレーニングフィールドが送信され得る。複数のアンテナから同時に同じサブキャリアを使用して送信するＭＩＭＯまたはＭＩＳＯなどの他の伝送方式は、たとえば、より多くのトレーニングフィールドが（たとえば、非同時に送信アンテナ当たり１つ）送信されることを必要とし得るか、または直交カバーコードを使用してＬＴＦを拡散させ得る。
【００２９】
図３は、信号を受信する方法３００の例を示す。たとえば、信号は、図１および図２に関して上記で説明した方法１００に従って送信され得る。方法３００は、ステップ３０２において、第１の受信アンテナにおいて、第１の送信アンテナのみから１つまたは複数の第１のサブキャリアを使用して送信される信号を受信することであって、第１の送信アンテナから送信される信号が、データに基づく第１の信号を備える、信号を受信することを含む。方法３００はまた、ステップ３０４において、第１の受信アンテナにおいて、第２の送信アンテナのみから、１つまたは複数の第１のサブキャリアとは異なる１つまたは複数の第２のサブキャリアを使用して送信される信号を受信することであって、第２の送信アンテナから送信される信号が、データに基づく第２の信号を備える、信号を受信することとを含む。
【００３０】
したがって、たとえば、特定のサブキャリア上で第１のアンテナにおいて受信された信号は、送信アンテナのうちのただ１つから受信される。方法３００は、したがって、たとえば、１つまたは複数の第２のサブキャリア上で第１の送信アンテナから送信される信号を受信しないこと、および／または１つまたは複数の第１のサブキャリア上で第２の送信アンテナから送信される信号を受信しないことを含み得る。
【００３１】
いくつかの例では、第１の受信アンテナにおいて受信された信号は、複数の単入力単出力（ＳＩＳＯ）信号と考えられ、それに応じて処理（たとえば、チャネル推定および／または等化）され得る。いくつかの例では、複数の受信アンテナがある場合、複数の受信アンテナにおいて受信された信号は、複数の単入力多出力（ＳＩＭＯ）信号と考えられ、それに応じて処理され得る。
【００３２】
受信された信号は２つまたはそれ以上のアンテナのうちのいくつかから送信され得る。したがって、いくつかの例では、方法３００は、１つまたは複数のさらなる送信アンテナから送信される信号を受信することを含み、各さらなる送信アンテナについて、さらなる送信アンテナから送信される信号を受信することが、さらなる送信アンテナのみからそれぞれの１つまたは複数のさらなるサブキャリアを使用して送信される信号を受信することを含む。さらなる送信アンテナから送信される信号は、データに基づく第２の信号を備え、それぞれの１つまたは複数のさらなるサブキャリアは１つまたは複数の第１のサブキャリアおよび１つまたは複数の第２のサブキャリアとは異なる。
【００３３】
各サブキャリア上で受信された信号は、それに応じて復調され、および／または復号され得る。復調および／または復号方式は、（たとえば、サブキャリアが異なるアンテナから送信される場合）サブキャリア間で異なり得るか、またはサブキャリア間で同じであり得る。
【００３４】
次に、特定の例および実施形態について以下で説明する。
【００３５】
本開示の例は、送信機と受信機の両方が複数のアンテナを持つときにダイバーシティ利得を与え得る、特定のアンテナのみからサブキャリアを送信する、空間多重キャリア変調（ＳＭＣＭ）を与え得る。旧来、通信速度を高めるために良好なリンクバジェットおよび複数のアンテナが使用され得る。対照的に、ＳＭＣＭは、（高い信頼性を与えるために使用され得る）ダイバーシティを高めるために良好なリンクバジェットおよび複数のアンテナを利用する。ＳＭＣＭは、たとえば、いくつかの点において、多入力多出力デュアルキャリア変調（ＭＩＭＯ−ＤＣＭ）とは異なる。
【００３６】
第１に、ＳＭＣＭは、空間ストリームの数にかかわらず、ただ１つのロングトレーニングフィールド（ＬＴＦ）が使用され得るので、より少ないオーバーヘッドを必要とし得る。わずか１つのＯＦＤＭデータシンボルからなる短いパケットを有し得るＵＲＬＬＣを用いると、この差は、サポートされ得るユーザの総数に実質的な影響を及ぼすことができる。
【００３７】
第２に、受信機アルゴリズムは、ＭＩＭＯ−ＤＣＭのための対応するアルゴリズムよりも低い複雑さを有し得る。これは、特に、限られた処理機能をもつローエンドデバイスにおいて利点であり得る。
【００３８】
第３に、ＭＩＭＯ−ＤＣＭでは、データは複製されるが、コンステレーション次数（ｃｏｎｓｔｅｌｌａｔｉｏｎ  ｏｒｄｅｒ）も増加する。しかしながら、各サブキャリア中の電力は一定に保たれる。本明細書で説明する実施形態では、データは複製され得、コンステレーション次数も増加し得るが、データの複製は、非ゼロサブキャリアの数を１／２にすることを伴い、これにより、総送信電力の増加なしに各非ゼロサブキャリアの電力の３ｄＢブーストが可能になり得る。
【００３９】
図４は、Ｎ個の送信アンテナを含むＳＭＣＭ送信機４００の例を示す。データビットが、データビットを符号化し、インターリーブするエンコーダ／インターリーバブロック４０２に与えられる。符号化され、インターリーブされたデータは直交コンステレーションマッパ４０４、４０６、４０８に与えられ、各マッパは送信アンテナの各々に関連付けられる。マッパ４０４、４０６、４０８は、各アンテナから送信されるべきそれぞれの空間ストリームに直交サブキャリアを割り振り得る。すなわち、たとえば、所与の空間ストリーム中の使用されるサブキャリアのセットは、他のストリーム中で使用される、使用されるサブキャリアのセットに直交する。周波数領域シンボルはまた、周波数ダイバーシティを活用するためにシフトされるか、またはインターリーブされ得る。各マッパ４０４、４０６、４０８の出力はそれぞれの逆離散フーリエ変換（ＩＤＦＴ）ブロック４１０、４１２、４１４に与えられ、各ＩＤＦＴブロックの出力はそれぞれの送信アンテナに与えられる。
【００４０】
図５は、Ｎ個の送信アンテナを含む別のＳＭＣＭ送信機５００の例を示す。データがデュプリケータ５０２に与えられ、デュプリケータ５０２は、データを複製し、データをそれぞれの変調およびコーディング（ＭＣＳ符号化）ブロック５０４、５０６、５０８に与え、各ＭＣＳ符号化ブロックはそれぞれの送信アンテナに関連付けられる。ＭＣＳ符号化ブロック５０４、５０６、５０８の出力は、それぞれインターリーバ５１０によってインターリーブされ得る。インターリーバの出力はそれぞれのＩＤＦＴブロック５１２、５１４、５１６に与えられ、各ＩＤＦＴブロックはそれぞれの送信アンテナに関連付けられる。各ＩＤＦＴブロック５１２、５１４、５１６の出力は、それぞれの乗算器５１８、５２０、５２２に与えられ、この例では
2021534634.tif 000003
である複合波形によって乗算される。乗算器５１８、５２０、５２２の出力はそれぞれの送信アンテナに与えられる。
【００４１】
図４の送信機４００と比較して、図５の送信機５００の２つの著しい差異がある。第１の差異は、符号化が、今度は、デュプリケータ５０２からのデータの各コピーに対して個々に実行され、それにより、異なるコーディングレート（および／または変調次数）が異なるサブキャリアに対して使用され得る方式が可能になることである。第２の差異は、ＩＤＦＴが、全帯域にわたって実行されないことがあるが、帯域のアクティブ部分のみについて実行され得ることである。たとえば、６４個のサブキャリアおよび４つのアンテナポートがある場合、サイズ１６の４つのＩＤＦＴが使用され得る。得られた信号は、次いで、乗算器５１８、５２０、５２２における複合波形との乗算によって帯域の適切な部分に変換される。
【００４２】
例として、ＯＦＤＭシステムは、１６個のアクティブな／利用可能なサブキャリアと、ＯＦＤＭシンボル当たり３２個のコードビットとを有し得る。ペイロードは、アクティブなサブキャリアの各々の位相を変調する、１６個のＱＰＳＫコンステレーションシンボルにマッピングされ得る。ＯＦＤＭシンボルを４つの送信機にマッピングするために空間拡大が使用され得る。本開示の例によれば、ビットｄ０、ｄ１、ｄ２およびｄ３のグループが、たとえば、２５６ＱＡＭシンボルである場合、たとえば、図２中にｄ０〜ｄ３で示されているものなど、４つの２５６ＱＡＭシンボルにペイロードをマッピングすることによってダイバーシティが高められ得る。各送信機チェーン中に４つの使用されたサブキャリアおよび１２個のミュートされたサブキャリアがあるので、合計送信電力をＯＦＤＭシステムの合計送信電力に等しく保ちながら、周波数領域シンボルの電力が各アンテナから４倍（６ｄＢ）にブーストされ得る。さらに、シンボルｄ０〜ｄ３が４回反復されるので、受信機におけるコヒーレント合成は６ｄＢ処理利得を生じ得る。要約すれば、電力ブーストと処理利得の複合効果は受信機においてＳＮＲの増加を生じ得るが、コンステレーション次数も増加するので、従来技術システムと比較したときに、パケットエラーレート（ＰＥＲ）低減を生じないことがある。これは、より高次のコンステレーションがより低次のコンステレーションよりも高いＳＮＲにおいて動作することによる。この例では、電力ブーストは６ｄＢのＳＮＲ利得を与えるが、反復は処理利得における別の６ｄＢをもたらし、その結果、１２ｄＢの合計ＳＮＲ利得が生じる。しかしながら、多くのワイヤレスシステムにおいて、２５６ＱＡＭは、一般に、ＳＮＲによりＰＥＲに顕著な差がないことがあるように、ＱＰＳＫの動作ＳＮＲよりもおよそ１８ｄＢ高い動作ＳＮＲを有する。むしろ、本開示の例の主要な利点は、従来技術システムと比較したときに、ダイバーシティにおける利得および／または低いオーバーヘッド、および／または低いＴＸ／ＲＸ複雑さを含み得る。この例では、空間拡大を使用するＳＩＳＯシステムは、それが利用可能なすべての空間自由度を活用しないことがあるので、本開示の例よりも少ないダイバーシティを呈し得る。本開示の例では、ダイバーシティ利得が大きくなるので、故障確率が小さくなり得、これは、たとえばＵＲＬＬＣにおいて望ましい性質である。一方、ＭＩＭＯシステムは、利用可能なすべての空間自由度を活用することができるが、かなり多くのトレーニングまたはパイロットオーバーヘッドを必要とするであろう。さらに、そのようなＭＩＭＯシステムはより高度の受信機を必要とし得る。オーバーヘッドはいくつかのワイヤレスブロードバンド適用例において無視でき得るが、データペイロードが小さいとき、オーバーヘッドはＵＲＬＬＣまたは工業ＩｏＴ適用例において著しくなり得る。そのような状況では、本開示の実施形態は、より低いレイテンシおよび／またはより高いシステム容量を生じ得る。
【００４３】
ＳＩＭＯ受信機アルゴリズム（ＳＩＭＯチャネル推定、ＳＩＭＯ等化）は受信機においても採用され得る。これは、空間ストリームが周波数領域において直交する結果である。
例示的な例として、送信機は、図２に示されているのと同様に、４つのアンテナから信号を送信し得、受信機は２つの受信アンテナを有し得る。サブキャリア数ｎに対応する受信された信号はｙ１（ｎ）およびｙ２（ｎ）である。送信アンテナｍと受信アンテナｋとの間のチャネルはｈｋｍ（ｎ）であり、ｗｋ（ｎ）は雑音サンプルである。送信されるｄ０シンボルを推定することが望まれると仮定する（ｄ０、ｄ１、ｄ２およびｄ３は送信されるシンボルを表す）。ｄ０はサブキャリア数１、８、１１および１４中で送信される。したがって、以下のモデルは、シンボルｄ０を含んでいる受信された信号を記述する。
2021534634.tif 000004
【００４４】
これは４並列１×２ＳＩＭＯシステムと等価である。
2021534634.tif 000005
および
2021534634.tif 000006
を定義する。
【００４５】
モデルは、
2021534634.tif 000007
の形に書き直され得る。ただし、Ｗは雑音ベクトルである。ｄ０の推定値
2021534634.tif 000008
は、たとえば、最大比合成（ｍａｘｉｍｕｍ  ｒａｔｉｏ  ｃｏｍｂｉｎｉｎｇ）（ＭＲＣ）処理
2021534634.tif 000009
を使用して取得され得る。
【００４６】
図４に示された例に示されているように、ＳＭＣＭは、符号化されたデータビットのいくつかの複製を生成する。ＳＭＣＭの例では、ダイバーシティ利得は、変調次数（ｍｏｄｕｌａｔｉｏｎ  ｏｒｄｅｒ）、周波数領域インターリービング、コードレートおよびアンテナポートマッピングのうちの１つまたは複数を変更することによって調整され得る。
【００４７】
例示的なＳＩＭＯシステムは、空間拡大を用いた単一レイヤ送信を採用する、４つの送信アンテナと４つの受信アンテナとからなり得る。データパケットは、第１はチャネル推定のためのロングトレーニングフィールド（ＬＴＦ）と、第２はデータシンボルとの、２つのみのＯＦＤＭシンボルからなると仮定する。さらに、ペイロードは１２０個の情報ビットからなり、コードレートは１／２であると仮定する。たとえば２４０個のアクティブな／利用可能なサブキャリアを用いて、コードビットは、ｓ（０）、…、ｓ（２３９）と標示されたＢＰＳＫ周波数領域シンボルを使用して１つのＯＦＤＭデータシンボルにマッピングされ得る。ただ１つの空間ストリームがあるので、それは、たとえば空間拡大によって、４つの送信アンテナポートにマッピングされ得る。
【００４８】
本開示の例によれば、１つのＬＴＦと、後続の１つのデータシンボルとを備える、同じパケットフォーマットが使用され得る。ＬＴＦは、２４０個の周波数領域シンボルｔ（０）、…、ｔ（２３９）からなる、いくつかの例では、上記で説明したＳＩＳＯシステム中で使用されるＬＴＦと同等であり得る。コンステレーション、周波数領域および空間マッピングはいくつかの例では以下のようであり得る。
１．アンテナポートＴｘ１およびＴｘ２
ａ．ＬＴＦの場合、偶数番号の周波数領域シンボルｔ（０）、ｔ（２）、…、ｔ（２３６）、ｔ（２３８）はサブキャリア１、３、５、…、２３９にマッピングされ（たとえば、１つおきのサブキャリアのみを使用する）、すべての他のサブキャリアはミュートされる。周波数領域シンボルの電力を（たとえば、すべてのキャリアを同時に使用するシステムと比較して）２倍にブーストする。このレイヤは空間拡大によって２つの送信アンテナポートＴｘ１およびＴｘ２にマッピングされる。
ｂ．データシンボルの場合、サブキャリア１、３、５、…、２３９を使用し（たとえば、１つおきのサブキャリアのみを使用する）、すべての他のサブキャリアをミュートする。コードビットは、ｄ（０）、…、ｄ（１１９）と標示された１２０個のＱＰＳＫコンステレーションシンボルにマッピングされる。さらに、このレイヤは空間拡大によって２つの送信アンテナポートＴｘ１およびＴｘ２にマッピングされる。その上、周波数領域シンボルの電力は２倍にブーストされる。
２．アンテナポートＴｘ３およびＴｘ４
ａ．ＬＴＦの場合、奇数番号の周波数領域シンボルｔ（１）、ｔ（３）、…、ｔ（２３７）、ｔ（２３９）はサブキャリア２、４、６、…、２４０にマッピングされ（たとえば、１つおきのサブキャリアのみを使用する）、すべての他のサブキャリアはミュートされる。周波数領域シンボルの電力を２倍にブーストする。このレイヤは空間拡大によって２つの送信アンテナポートＴｘ３およびＴｘ４にマッピングされる。
ｂ．データシンボルの場合、サブキャリア２、４、６、…、２３８、２４０を使用し（たとえば、１つおきのサブキャリアのみを使用する）、すべての他のサブキャリアをミュートする。コードビットは、ｄ（６０）、ｄ（６１）、…、ｄ（１１９）、ｄ（０）、…、ｄ（５９）と標示された１２０個のＱＰＳＫコンステレーションシンボルにマッピングされ、同じシンボルは、アンテナポートＴｘ１およびＴｘ２によって送信されるが、６０ステップ、巡回シフトされる。さらに、このレイヤは空間拡大によって２つの送信アンテナポートＴｘ３およびＴｘ４にマッピングされる。その上、周波数領域シンボルの電力は２倍にブーストされる。
【００４９】
１つおきのサブキャリアが各レイヤ中でミュートされるので、２倍の電力ブーストは、ＳＩＳＯシステムと比較したときに合計送信電力を増加させない。
【００５０】
本開示のさらなる例によれば、１つのＬＴＦと、後続の１つのデータシンボルとを備える、同じパケットフォーマットが使用され得る。ＬＴＦは、いくつかの例では、ＳＩＳＯシステムにおいて使用されるＬＴＦと同等であり得る。コンステレーション、周波数領域および空間マッピングは、いくつかの例では以下のようであり得る。
１．アンテナポートＴｘ１
ａ．ＬＴＦの場合、周波数領域シンボルｔ（０）、ｔ（４）、…、ｔ（２３２）、ｔ（２３６）はサブキャリア１、５、…、２３７にマッピングされ（たとえば、３つおきのサブキャリアのみを使用する）、すべての他のサブキャリアはミュートされる。周波数領域シンボルの電力を４倍にブーストする。このレイヤは送信アンテナポートＴｘ１にマッピングされる。
ｂ．データシンボルの場合、サブキャリア１、５、…、２３７を使用し（たとえば、３つおきのサブキャリアのみを使用する）、すべての他のサブキャリアをミュートする。コードビットは、ｄ（０）、…、ｄ（５９）と標示された６０個の１６ＱＡＭコンステレーションシンボルにマッピングされる。さらに、このレイヤは送信アンテナポートＴｘ１にマッピングされる。その上、周波数領域シンボルの電力は４倍にブーストされる。
２．アンテナポートＴｘ２
ａ．ＬＴＦの場合、周波数領域シンボルｔ（１）、ｔ（５）、…、ｔ（２３３）、ｔ（２３７）は、サブキャリア２、６、…、２３８にマッピングされ（たとえば、３つおきのサブキャリアのみを使用する）、すべての他のサブキャリアはミュートされる。周波数領域シンボルの電力を４倍にブーストする。このレイヤは送信アンテナポートＴｘ２にマッピングされる。
ｂ．データシンボルの場合、サブキャリア２、６、…、２３８を使用し（たとえば、３つおきのサブキャリアのみを使用する）、すべての他のサブキャリアをミュートする。コードビットは、ｄ（４５）、…、ｄ（５９）、ｄ（０）、…、ｄ（４４）と標示された６０個の１６ＱＡＭコンステレーションシンボルにマッピングされ、同じシンボルは、送信アンテナポートＴｘ１によって送信されるが、１５ステップ、巡回シフトされる。さらに、このレイヤは送信アンテナポートＴｘ２にマッピングされる。その上、周波数領域シンボルの電力は４倍にブーストされる。
３．アンテナポートＴｘ３
ａ．ＬＴＦの場合、周波数領域シンボルｔ（２）、ｔ（６）、…、ｔ（２３４）、ｔ（２３８）はサブキャリア３、７、…、２３９にマッピングされ（たとえば、３つおきのサブキャリアのみを使用する）、すべての他のサブキャリアはミュートされる。周波数領域シンボルの電力を４倍にブーストする。このレイヤは送信アンテナポートＴｘ２にマッピングされる。
ｂ．データシンボルの場合、サブキャリア３、７、…、２３９を使用し（たとえば、３つおきのサブキャリアのみを使用する）、すべての他のサブキャリアをミュートする。コードビットは、ｄ（３０）、…、ｄ（５９）、ｄ（０）、…、ｄ（２９）と標示された６０個の１６ＱＡＭコンステレーションシンボルにマッピングされ、同じシンボルは、送信アンテナポートＴｘ１によって送信されるが、３０ステップ、巡回シフトされる。さらに、このレイヤは送信アンテナポートＴｘ３にマッピングされる。その上、周波数領域シンボルの電力は４倍にブーストされる。
４．アンテナポートＴｘ４
ａ．ＬＴＦの場合、周波数領域シンボルｔ（３）、ｔ（７）、…、ｔ（２３５）、ｔ（２３９）は、サブキャリア４、８、…、２４０にマッピングされ（３つおきのサブキャリアのみを使用する）、すべての他のサブキャリアはミュートされる。周波数領域シンボルの電力を４倍にブーストする。このレイヤは送信アンテナポートＴｘ２にマッピングされる。
ｂ．データシンボルの場合、サブキャリア４、８、…、２４０を使用し（たとえば、３つおきのサブキャリアのみを使用する）、すべての他のサブキャリアをミュートする。コードビットは、ｄ（１５）、…、ｄ（５９）、ｄ（０）、…、ｄ（１４）と標示された６０個の１６ＱＡＭコンステレーションシンボルにマッピングされ、同じシンボルは、送信アンテナポートＴｘ１によって送信されるが、４５ステップ、巡回シフトされる。さらに、このレイヤは送信アンテナポートＴｘ４にマッピングされる。その上、周波数領域シンボルの電力は４倍にブーストされる。
【００５１】
３つおきのサブキャリアが各レイヤ中にミュートされるので、４倍の電力ブーストは、ＳＩＳＯシステムと比較したときに合計送信電力を増加させない。
【００５２】
図６は、信号を送信するための装置６００の例を示す。本装置６００はプロセッサ６０２とメモリ６０４とを備える。メモリ６０４は、装置６００が、第１のアンテナのみから１つまたは複数の第１のサブキャリアを使用して信号を送信することであって、第１のアンテナから送信される信号が、データに基づく第１の信号を備える、信号を送信することと、第２のアンテナのみから、１つまたは複数の第１のサブキャリアとは異なる１つまたは複数の第２のサブキャリアを使用して信号を送信することであって、第２のアンテナから送信される信号が、データに基づく第２の信号を備える、信号を送信することとを行うように動作可能であるように、プロセッサ６０２によって実行可能な命令を含んでいる。いくつかの例では、装置６００は、図１に示された方法１００を実行し得る。
【００５３】
図７は、信号を受信するための装置７００の例を示す。装置７００はプロセッサ７０２とメモリ７０４とを備える。メモリ７０４は、装置７００が、第１の受信アンテナにおいて、第１の送信アンテナのみから１つまたは複数の第１のサブキャリアを使用して送信される信号を受信することであって、第１の送信アンテナから送信される信号が、データに基づく第１の信号を備える、信号を受信することと、第１の受信アンテナにおいて、第２の送信アンテナのみから、１つまたは複数の第１のサブキャリアとは異なる１つまたは複数の第２のサブキャリアを使用して送信される信号を受信することであって、第２の送信アンテナから送信される信号が、データに基づく第２の信号を備える、信号を受信することとを行うように動作可能であるように、プロセッサ７０２によって実行可能な命令を含んでいる。いくつかの例では、装置７００は、図３に示された方法３００を実行し得る。
【００５４】
図８は、信号を送信するための装置８００の例を示す。装置８００は、第１のアンテナのみから１つまたは複数の第１のサブキャリアを使用して信号を送信するように設定された第１の送信モジュール８０２であって、第１のアンテナから送信される信号が、データに基づく第１の信号を備える、第１の送信モジュール８０２を備える。装置８００はまた、第２のアンテナのみから、１つまたは複数の第１のサブキャリアと異なる１つまたは複数の第２のサブキャリアを使用して信号を送信するように設定された第２の送信モジュールであって、第２のアンテナから送信される信号が、データに基づく第２の信号を備える、第２の送信モジュールを備える。
【００５５】
図９は、信号を受信するための装置９００の例を示す。本装置９００は、第１の受信アンテナにおいて、第１の送信アンテナのみから１つまたは複数の第１のサブキャリアを使用して送信される信号を受信するように設定された第１の受信モジュール９０２であって、第１の送信アンテナから送信される信号が、データに基づく第１の信号を備える、第１の受信モジュール９０２を備える。装置９００はまた、第１の受信アンテナにおいて、第２の送信アンテナのみから、１つまたは複数の第１のサブキャリアとは異なる１つまたは複数の第２のサブキャリアを使用して送信される信号を受信するように設定された第２の受信モジュールであって、第２の送信アンテナから送信される信号が、データに基づく第２の信号を備える、第２の受信モジュールを備える。
【００５６】
上述の例は本発明を限定するものではなく例示するものであること、および、当業者は、添付の文の範囲から逸脱することなく多くの代替例を設計することが可能であることに留意されたい。「備える」という単語は、請求項に記載されている要素またはステップ以外の要素またはステップの存在を除外せず、「ａ」または「ａｎ」は複数を除外せず、単一のプロセッサまたは他のユニットは、以下の文に具陳された、いくつかのユニットの機能を実現し得る。「第１の」、「第２の」などの用語が使用されている場合、それらは、単に特定の特徴の便利な識別のためのラベルとして理解されるべきである。特に、それらは、別段に明記されていない限り、複数のそのような特徴のうちの第１のまたは第２の特徴（すなわち、時間または空間において起こるそのような特徴のうちの第１のまたは第２の特徴）について説明しているものと解釈されるべきでない。本明細書で開示した方法におけるステップは、別段に明記されていない限り、任意の順序で実行され得る。文中のいかなる参照符号も、それらの範囲を限定するように解釈されないものとする。
【図１】
2021534634.tif 000010
【図２】
2021534634.tif 000011
【図３】
2021534634.tif 000012
【図４】
2021534634.tif 000013
【図５】
2021534634.tif 000014
【図６】
2021534634.tif 000015
【図７】
2021534634.tif 000016
【図８】
2021534634.tif 000017
【図９】
2021534634.tif 000018
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
信号を送信する方法であって、
第１のアンテナのみから１つまたは複数の第１のサブキャリアを使用して信号を送信することであって、前記第１のアンテナから送信される前記信号が、データに基づく第１の信号を含む、信号を送信することと、
第２のアンテナのみから、前記１つまたは複数の第１のサブキャリアとは異なる１つまたは複数の第２のサブキャリアを使用して信号を送信することであって、前記第２のアンテナから送信される前記信号が、前記データに基づく第２の信号を含む、信号を送信することと
を含む方法。
【請求項２】
前記第１のアンテナからの前記１つまたは複数の第２のサブキャリアを使用して信号を送信することを控えることを含む、請求項１に記載の方法。
【請求項３】
前記第２のアンテナからの前記１つまたは複数の第１のサブキャリアを使用して信号を送信することを控えることを含む、請求項１または２に記載の方法。
【請求項４】
前記データが１つまたは複数のデータ部分を備え、前記第１および第２のアンテナからの前記信号を送信することが、各データ部分について、前記第１のアンテナからの前記１つまたは複数の第１のサブキャリアの各々を使用して少なくとも１つの第１のシンボルを送信することと、前記第２のアンテナからの前記１つまたは複数の第２のサブキャリアの各々を使用して少なくとも１つの第２のシンボルを送信することとを含む、請求項１から３のいずれか一項に記載の方法。
【請求項５】
１つまたは複数のさらなるアンテナからの信号を送信することを含み、各さらなるアンテナについて、前記さらなるアンテナからの信号を送信することが、前記さらなるアンテナのみからそれぞれの１つまたは複数のさらなるサブキャリアを使用して信号を送信することを含み、前記さらなるアンテナから送信される前記信号が、前記データに基づく第２の信号を含み、前記それぞれの１つまたは複数のさらなるサブキャリアが前記１つまたは複数の第１のサブキャリアおよび前記１つまたは複数の第２のサブキャリアとは異なる、請求項１から４のいずれか一項に記載の方法。
【請求項６】
前記データを符号化することと、
第１の変調方式に従って、前記符号化されたデータの部分を第１のシンボルにマッピングすることと、
前記第１の信号を形成するために前記第１のシンボルに対して逆離散フーリエ変換を実行することと、
第２の変調方式に従って、前記符号化されたデータの部分を第２のシンボルにマッピングすることと、
前記第２の信号を形成するために前記第２のシンボルに対して逆離散フーリエ変換を実行することと
を含む、請求項１から５のいずれか一項に記載の方法。
【請求項７】
前記データまたは前記シンボルをインターリーブすることをさらに含む、請求項６に記載の方法。
【請求項８】
第１の符号化されたデータを形成するために、第１の符号化方式に従って前記データの部分を符号化することによって前記第１の信号を形成することと、第１の変調方式に従って、前記第１の符号化されたデータを第１のシンボルにマッピングすることと、前記第１の信号を形成するために前記第１のシンボルに対して逆離散フーリエ変換および複合波形による乗算を実行することとを含み、
第２の符号化されたデータを形成するために、第２の符号化方式に従って、前記データの部分を符号化することによって前記第２の信号を形成することと、第２の変調方式に従って、前記第２の符号化されたデータを第２のシンボルにマッピングすることと、前記第１の信号を形成するために前記第２のシンボルに対して逆離散フーリエ変換および複合波形による乗算を実行することとを含む、請求項１から５のいずれか一項に記載の方法。
【請求項９】
前記データがトレーニングフィールドとデータフィールドとを備える、請求項１から８のいずれか一項に記載の方法。
【請求項１０】
前記１つまたは複数の第１のサブキャリアが複数の直交サブキャリアの第１のサブセットを備え、前記１つまたは複数の第２のサブキャリアが前記複数の直交サブキャリアの第２のサブセットを備える、請求項１から９のいずれか一項に記載の方法。
【請求項１１】
信号を受信する方法であって、
第１の受信アンテナにおいて、第１の送信アンテナのみから１つまたは複数の第１のサブキャリアを使用して送信される信号を受信することであって、前記第１の送信アンテナから送信される前記信号が、データに基づく第１の信号を含む、信号を受信すること、
前記第１の受信アンテナにおいて、第２の送信アンテナのみから、前記１つまたは複数の第１のサブキャリアとは異なる１つまたは複数の第２のサブキャリアを使用して送信される信号を受信することであって、前記第２の送信アンテナから送信される前記信号が、前記データに基づく第２の信号を含む、信号を受信することと
を含む方法。
【請求項１２】
前記データが１つまたは複数のデータ部分を備え、前記第１の送信アンテナおよび前記第２の送信アンテナから送信される前記信号を受信することが、各データ部分について、前記第１の送信アンテナから送信される前記１つまたは複数の第１のサブキャリアの各々を使用して少なくとも１つの第１のシンボルを受信することと、前記第２の送信アンテナから前記１つまたは複数の第２のサブキャリアの各々を使用して送信される少なくとも１つの第２のシンボルを受信することとを含む、請求項１１に記載の方法。
【請求項１３】
１つまたは複数のさらなる送信アンテナから送信される信号を受信することを含み、各さらなる送信アンテナについて、前記さらなる送信アンテナから送信される信号を受信することが、前記さらなる送信アンテナのみからそれぞれの１つまたは複数のさらなるサブキャリアを使用して送信される信号を受信することを含み、前記さらなる送信アンテナから送信される前記信号が、前記データに基づく第２の信号を含み、前記それぞれの１つまたは複数のさらなるサブキャリアが前記１つまたは複数の第１のサブキャリアおよび前記１つまたは複数の第２のサブキャリアとは異なる、請求項１１または１２に記載の方法。
【請求項１４】
前記データがトレーニングフィールドとデータフィールドとを備える、請求項１１から１３のいずれか一項に記載の方法。
【請求項１５】
前記１つまたは複数の第１のサブキャリアが複数の直交サブキャリアの第１のサブセットを備え、前記１つまたは複数の第２のサブキャリアが前記複数の直交サブキャリアの第２のサブセットを備える、請求項１１から１４のいずれか一項に記載の方法。
【請求項１６】
前記第１の受信アンテナにおいて受信された前記第１の信号を第１の単入力単出力（ＳＩＳＯ）システムとして処理することと、
前記第１の受信アンテナにおいて受信された前記第２の信号を第２の単入力単出力（ＳＩＳＯ）システムとして処理することと
を含む、請求項１１から１５のいずれか一項に記載の方法。
【請求項１７】
第２のアンテナにおいても前記第１の信号および前記第２の信号を受信することを含む、請求項１１から１６のいずれか一項に記載の方法。
【請求項１８】
前記第１の受信アンテナにおいて受信された前記第１の信号および第２の受信アンテナにおいて受信された前記第１の信号を第１の単入力多出力（ＳＩＭＯ）システムとして処理することと、
前記第１の受信アンテナにおいて受信された前記第２の信号および前記第２の受信アンテナにおいて受信された前記第２の信号を第２の単入力多出力（ＳＩＭＯ）システムとして処理することと
を含む、請求項１７に記載の方法。
【請求項１９】
少なくとも１つのプロセッサ上で実行されたとき、前記少なくとも１つのプロセッサに請求項１から１８のいずれか一項に記載の方法を実行させる命令を備えるコンピュータプログラム。
【請求項２０】
請求項１９に記載のコンピュータプログラムを含むコンピュータ可読記憶媒体。
【請求項２１】
信号を送信するための装置であって、
第１のアンテナのみから１つまたは複数の第１のサブキャリアを使用して信号を送信することであって、前記第１のアンテナから送信される前記信号が、データに基づく第１の信号を含む、信号を送信することと、
第２のアンテナのみから、前記１つまたは複数の第１のサブキャリアとは異なる１つまたは複数の第２のサブキャリアを使用して信号を送信することであって、前記第２のアンテナから送信される前記信号が、前記データに基づく第２の信号を含む、信号を送信することと
を行うように設定された、信号を送信するための装置。
【請求項２２】
信号を受信するための装置であって、
第１の受信アンテナにおいて、第１の送信アンテナのみから１つまたは複数の第１のサブキャリアを使用して送信される信号を受信することであって、前記第１の送信アンテナから送信される前記信号が、データに基づく第１の信号を含む、信号を受信することと、
前記第１の受信アンテナにおいて、第２の送信アンテナのみから、前記１つまたは複数の第１のサブキャリアとは異なる１つまたは複数の第２のサブキャリアを使用して送信される信号を受信することであって、前記第２の送信アンテナから送信される前記信号が、前記データに基づく第２の信号を含む、信号を受信すること
を行うように設定された、信号を受信するための装置。
【国際調査報告】
2021534634.tif 000019
2021534634.tif 000020
2021534634.tif 000021